(57)【要約】【課題】  放水用レバーと開閉弁を接続するワイヤの断線を遠方からでも容易に検出することのできる消火栓を提供する。【解決手段】  水を供給する水供給管５と、水供給管５の開閉弁１５をワイヤ１２、１３を介して操作する放水用レバー１０と、水を放水する放水ノズル３０とを筐体１内に備えた消火栓において、放水用レバー１０と開閉弁１５は２本のワイヤ１２、１３によって連結され、２本のワイヤ１２、１３は放水用レバー側１０端部で終端抵抗２０により互いに接続されると共に、開閉弁１５側端部でそれぞれ断線検出部２１に接続され、断線検出部２１は終端抵抗２０を介して両ワイヤ１２、１３間に電流を流すことで、ワイヤ１２、１３の断線を検出する。【選択図】  図３
2006006376.tif 000002
【特許請求の範囲】
【請求項１】
水を供給する水供給管と、該水供給管の開閉弁をワイヤを介して操作する放水用レバーと、水を放水する放水ノズルとを筐体内に備えた消火栓において、
上記ワイヤは一方の端部を終端抵抗に接続すると共に、他方の端部を断線検出部に接続し、
上記断線検出部は上記終端抵抗を介して上記ワイヤに電流を流すことで、上記ワイヤの断線を検出することを特徴とする消火栓。
【請求項２】
水を供給する水供給管と、該水供給管の開閉弁をワイヤを介して操作する放水用レバーと、水を放水する放水ノズルとを筐体内に備えた消火栓において、
上記放水用レバーと開閉弁は２本のワイヤによって連結され、該２本のワイヤは上記放水用レバー側端部で終端抵抗により互いに接続されると共に、上記開閉弁側端部でそれぞれ断線検出部に接続され、
上記断線検出部は上記終端抵抗を介して上記両ワイヤ間に電流を流すことで、上記ワイヤの断線を検出することを特徴とする消火栓。
【請求項３】
上記断線検出部は外部に設けられた中央制御部に接続され、上記ワイヤの断線を検出した場合には上記中央制御部に断線検出信号を送信することを特徴とする請求項１または２記載の消火栓。
【請求項４】
上記筐体は上記放水用レバーの動作を検出するレバーリミットスイッチを備え、上記開閉弁は電動弁からなると共に、開閉を制御する弁制御部に接続され、
上記断線検出部は上記ワイヤの断線を検出しかつ上記レバーリミットスイッチにより上記放水用レバーの動作を検出した場合には上記弁制御部に開放信号を送信することを特徴とする請求項１〜３のいずれか１項に記載の消火栓。
【請求項５】
上記筐体は上記放水用レバーの動作を検出するレバーリミットスイッチと、上記放水ノズルの設置状態を検出するノズルリミットスイッチを備え、上記開閉弁は電動弁からなると共に、開閉を制御する弁制御部に接続され、
上記断線検出部は上記ワイヤの断線を検出した場合であって、上記レバーリミットスイッチにより上記放水用レバーの動作を検出し、かつ上記ノズルリミットスイッチにより上記放水ノズルが取り外されたことを検出した場合には上記弁制御部に開放信号を送信することを特徴とする請求項１〜３のいずれか１項に記載の消火栓。
【請求項６】
上記ノズルリミットスイッチは上記ワイヤに上記終端抵抗と並列に接続されたことを特徴とする請求項５記載の消火栓。
【発明の詳細な説明】
【技術分野】
【０００１】
本発明はトンネル等に設置される消火栓に関し、特に放水を行う際に用いられる放水用レバーのワイヤを断線監視する消火栓に関する。
【背景技術】
【０００２】
従来からトンネル等においては、火災発生時に消火を行うための消火栓が設置されている。この消火栓は、水を供給する給水栓を備え、給水栓からホースを介して接続された放水ノズルから放水を行い、火災を消火する。また、消火栓には給水栓と放水ノズルの間に設けられる弁を開閉する放水用レバーが設けられている。放水用レバーと弁はワイヤを介して接続されており、放水用レバーを操作することにより、ワイヤが弁を開閉する。このような消火栓としては、例えば特許文献１に示すようなものがある。
【特許文献１】特開２００１−５８０１２号公報
【発明の開示】
【発明が解決しようとする課題】
【０００３】
しかし、従来の消火栓における放水用レバーのワイヤは断線監視されていなかった。ワイヤが断線すると、放水用レバーの操作によっては放水することができない。そのため、消火栓にはバイパス弁が設けられており、これを操作することで放水を行うことはできる。ただし、消火栓は火災が発生した際にその場に居合わせた人が操作するもので、消火栓の操作に不慣れである場合が多い。バイパス弁は放水用レバーのようには容易に操作することはできないので、火災発生時のような緊急時にその場に居合わせた人が咄嗟に操作することは困難である。
【０００４】
また、従来の消火栓では、ワイヤが断線して放水を行うことができない状態になっていたとしても、放水用レバーの設置個所に設けられるリミットスイッチの作動によりポンプは起動するため、遠方の管理センターからはあたかも放水が正常に行われているように見えてしまい、点検時にワイヤ切れを見逃すなど問題の発見が遅れる可能性があった。
【０００５】
本発明は上記課題を鑑みてなされたものであり、放水用レバーと開閉弁を接続するワイヤの断線を遠方からでも容易に検出することのできる消火栓を提供することを目的とする。
【課題を解決するための手段】
【０００６】
上記課題を解決するため、本発明に係る消火栓は、水を供給する水供給管と、該水供給管の開閉弁をワイヤを介して操作する放水用レバーと、水を放水する放水ノズルとを筐体内に備えた消火栓において、
上記ワイヤは一方の端部を終端抵抗に接続すると共に、他方の端部を断線検出部に接続し、
上記断線検出部は上記終端抵抗を介して上記ワイヤに電流を流すことで、上記ワイヤの断線を検出することを特徴として構成されている。
【０００７】
また、本発明に係る消火栓は、水を供給する水供給管と、該水供給管の開閉弁をワイヤを介して操作する放水用レバーと、水を放水する放水ノズルとを筐体内に備えた消火栓において、
上記放水用レバーと開閉弁は２本のワイヤによって連結され、該２本のワイヤは上記放水用レバー側端部で終端抵抗により互いに接続されると共に、上記開閉弁側端部でそれぞれ断線検出部に接続され、
上記断線検出部は上記終端抵抗を介して上記両ワイヤ間に電流を流すことで、上記ワイヤの断線を検出することを特徴として構成されている。
【０００８】
さらに、本発明に係る消火栓は、上記断線検出部は外部に設けられた中央制御部に接続され、上記ワイヤの断線を検出した場合には上記中央制御部に断線検出信号を送信することを特徴として構成されている。
【０００９】
さらにまた、本発明に係る消火栓は、上記筐体は上記放水用レバーの動作を検出するレバーリミットスイッチを備え、上記開閉弁は電動弁からなると共に、開閉を制御する弁制御部に接続され、
上記断線検出部は上記ワイヤの断線を検出しかつ上記レバーリミットスイッチにより上記放水用レバーの動作を検出した場合には上記弁制御部に開放信号を送信することを特徴として構成されている。
【００１０】
そして、本発明に係る消火栓は、上記筐体は上記放水用レバーの動作を検出するレバーリミットスイッチと、上記放水ノズルの設置状態を検出するノズルリミットスイッチを備え、上記開閉弁は電動弁からなると共に、開閉を制御する弁制御部に接続され、
上記断線検出部は上記ワイヤの断線を検出した場合であって、上記レバーリミットスイッチにより上記放水用レバーの動作を検出し、かつ上記ノズルリミットスイッチにより上記放水ノズルが取り外されたことを検出した場合には上記弁制御部に開放信号を送信することを特徴として構成されている。
【００１１】
また、本発明に係る消火栓は、上記ノズルリミットスイッチは上記ワイヤに上記終端抵抗と並列に接続されたことを特徴として構成されている。
【発明の効果】
【００１２】
本発明に係る消火栓によれば、ワイヤには一方の端部に終端抵抗を接続し、他方の端部に断線検出部を接続し、断線検出部は終端抵抗を介してワイヤに電流を流すことで、ワイヤの断線を検出することにより、ワイヤに直接電流を流して断線を検出できるので、確実に断線を検出することができる。また、電流を流すだけで断線を検出できることにより、現場で直接検査することなく遠方からでも容易に断線を検出することができる。
【００１３】
また、本発明に係る消火栓によれば、放水用レバーと開閉弁は２本のワイヤによって連結され、この２本のワイヤは放水用レバー側端部で終端抵抗により互いに接続され、開閉弁側端部でそれぞれ断線検出部に接続されることにより、２本のワイヤを用いて開閉弁を動作させている場合においても、いずれのワイヤについても確実に、しかも遠方からでも断線を検出することができる。
【００１４】
さらに、本発明に係る消火栓によれば、断線検出部は外部に設けられた中央制御部に接続され、ワイヤの断線を検出した場合には中央制御部に断線検出信号を送信することにより、断線検出信号を外部への通報等様々な用途に用いることができる。
【００１５】
さらにまた、本発明に係る消火栓によれば、筐体はレバーリミットスイッチを備え、断線検出部はワイヤの断線を検出しかつレバーリミットスイッチにより放水用レバーの動作を検出した場合には弁制御部に開放信号を送信することにより、ワイヤが断線した場合であっても、放水用レバーの動作により放水を行うことができ、確実に火災の消火を行うことができる。
【００１６】
そして、本発明に係る消火栓によれば、筐体はレバーリミットスイッチとノズルリミットスイッチを備え、断線検出部はワイヤの断線を検出した場合であって、レバーリミットスイッチにより放水用レバーの動作を検出し、かつノズルリミットスイッチにより放水ノズルが取り外されたことを検出した場合には弁制御部に開放信号を送信することにより、ワイヤが断線した場合であっても、放水用レバーの動作及び放水ノズルの取出しにより放水を行うことができ、放水準備を行った上で確実に火災の消火を行うことができる。
【００１７】
また、本発明に係る消火栓によれば、ノズルリミットスイッチはワイヤに終端抵抗と並列に接続されたことにより、ノズルリミットスイッチを接続するための配線とワイヤを共用することができ、簡易な構成として部品点数を減らすことができる。
【発明を実施するための最良の形態】
【００１８】
本発明の実施形態について、図面に沿って詳細に説明する。図１は本実施形態における消火栓の正面図、図２は消火栓の消火栓扉２を開いた状態における筐体１内部を示した平面図である。この消火栓は主として自動車用のトンネル内に設置され、車の事故等によるトンネル内の火災を検知し、通報すると共に火災を消火するために用いられる。図１に示すように本実施形態における消火栓は、筐体１と、前倒し式の開閉扉である消火栓扉２と、火災発生の際に通報を行う火災報知機４とを備えている。
【００１９】
筐体１は、トンネルにおける自動車走行路の側面である壁面に横長の直方体箱形状の容器を設けてなる。筐体１の側面からは、給水配管に接続される給水接続口４１が突出している。また、消火栓扉２はハンドル３を操作することによって、手前側に倒れて開放され、筐体１内部に納められた機器を操作することができるようになる。
【００２０】
図２に示すように、筐体１の内部には、給水接続口４１を含む給水栓４０と、給水栓４０からの配管の開閉を行うための放水用レバー１０と、給水栓４０から火災現場まで水を供給する放水用ホース１７と、該放水用ホース１７の先端部である放水ノズル３０とが納められている。また、給水栓４０からは下方に向かって水供給管５が配設され、その途中には開閉弁１５が設けられる。この開閉弁１５を開放することにより、給水栓４０からの水を放水ノズル３０に供給することができる。
【００２１】
放水ノズル３０は、消火栓扉２の内面側に保持されている。放水用ホース１７は、放水ノズル３０から消火栓扉２の内面を這わせており、筐体１の内部では渦巻き状に巻かれて収納されている。放水用レバー１０は、開閉弁１５に２本のワイヤ１２、１３を介して接続されており、前後に倒すことによって開閉弁１５の開閉を行う。
【００２２】
筐体１には、放水用レバー１０の動作を検出するようにレバーリミットスイッチ３２が設けられている。また、消火栓扉２の内面側に固定される放水ノズル３０の設置部分にはノズルリミットスイッチ３３が設けられており、放水ノズル３０の取出しの有無を検出する。
【００２３】
火災発生時における消火栓の操作は以下の通りである。まず、火災を発見したら、筐体１に設けられた火災報知機４のボタンを押して、火災の発生を知らせる。次に、消火栓扉２を手前に開いて、筐体１内部を露出させる。消火栓扉２を開いたら、放水ノズル３０を取出して、放水用ホース１７を引き出す。さらに、放水用レバー１０を引くことで、ポンプが起動し、水が供給される。操作者は、放水ノズル３０を火災の方向に向けて放水を開始する。
【００２４】
図３には、消火栓内部に納められる放水用レバー１０と開閉弁１５間の連係図を示す。上述したように、放水用レバー１０は、ワイヤ１２、１３を介して開閉弁１５と接続されている。放水用レバー１０は、操作板１１に固定されており、この操作板１１は放水用レバー１０と共に回転動作する。ワイヤは２本設けられており、第１のワイヤ１２と第２のワイヤ１３とからなっている。
【００２５】
第１のワイヤ１２の一端部は操作板１１に固定されて固定部１２ａを構成し、また第２のワイヤ１３の一端部は操作板１１に固定されて固定部１３ａを構成している。また、開閉弁１５は動作板１６と連係して動作する。この動作板１６に第１のワイヤ１２が固定されて固定部１２ｂを構成し、また第２のワイヤ１３が固定されて固定部１３ｂを構成する。
【００２６】
操作板１１における第１のワイヤ１２の固定部１２ａと第２のワイヤ１３の固定部１３ａは、操作板１１において放水用レバー１０が固定されている中心部から略同じ半径位置に設けられている。また、動作板１６における第１のワイヤ１２の固定部１２ｂと第２のワイヤ１３の固定部１３ｂは、動作板１６の中心部から略同じ半径位置に設けられている。
【００２７】
これにより、放水用レバー１０を操作するとそれに伴って操作板１１が回動し、第１のワイヤ１２と第２のワイヤ１３で接続された開閉弁１５の動作板１６も回動する。動作板１６の回動により、開閉弁１５は開閉するから、放水用レバー１０の操作により第１のワイヤ１２及び第２のワイヤ１３を介して、開閉弁１５の開閉動作を行うことができる。
【００２８】
ここで、第１のワイヤ１２の操作板１１における固定部１２ａと、第２のワイヤ１３の操作板１１における固定部１３ａとの間は、終端抵抗２０によって接続されている。一方、第１のワイヤ１２の動作板１６における固定部１２ｂと、第２のワイヤ１３の動作板１６における固定部１３ｂは、それぞれ断線検出部２１に接続されている。断線検出部２１は、第１のワイヤ１２と第２のワイヤ１３の間に終端抵抗２０を介して電流を流すことにより、各ワイヤ１２、１３の断線の有無を監視する。この断線監視システムについて以下説明する。
【００２９】
図４は、断線監視システムの第１の実施例を示した配線図である。この図に示す第１の実施例は、第１のワイヤ１２と第２のワイヤ１３の一方の端部を終端抵抗２０で接続し、他方の端部をそれぞれ断線検出部２１に接続している。また、断線検出部２１は中央制御部２３に接続されている。断線検出部２１は終端抵抗２０を介して第１のワイヤ１２及び第２のワイヤ１３に電流を流し、電圧を計測することにより各ワイヤ１２、１３における断線を検出する。
【００３０】
断線を検出した断線検出部２１は、中央制御部２３に断線が発生している旨の信号を送信する。中央制御部２３は、消火栓の外部に設けられるもので、消火栓の状態監視や制御及び火災発生時の各所に対する通報等を行う。このように、各ワイヤ１２、１３に直接電流を流すことでワイヤの断線を検出することにより、外部からでも断線を検出し、それに応じた適切な処置をとることができる。
【００３１】
図５は、断線監視システムの第２の実施例を示した配線図である。この例においても、第１の実施例と同様に、第１のワイヤ１２と第２のワイヤ１３の一方の端部を終端抵抗２０で接続し、他方の端部をそれぞれ断線検出部２１ｃに接続している。また、それとは別に、放水用レバー１０の動作を検出するレバーリミットスイッチ３２と、放水ノズル３０の設置状態を検出するノズルリミットスイッチ３３とを設けている。そして、これらのリミットスイッチ３２、３３はそれぞれ断線検出部２１ａ、２１ｂに接続しており、したがって各々必要に応じて断線を検出することができる。
【００３２】
また、この実施例では放水用レバー１０の操作によって開閉される開閉弁１５の他に、電動弁からなる補助開閉弁３１を備えている。この補助開閉弁３１は、水供給管５において開閉弁１５をバイパスするように設けられており、また弁の開閉制御を行う弁制御部２２に接続されている。断線検出部２１ａ、２１ｂ、２１ｃと弁制御部２２は、いずれも中央制御部２３に接続されている。
【００３３】
中央制御部２３は、断線検出部２１ａを介してレバーリミットスイッチ３２からの信号を受信し、また断線検出部２１ｂを介してノズルリミットスイッチ３３からの信号を受信し、さらに断線検出部２１ｃからワイヤ１２、１３の断線の有無についても信号を受信する。そして、中央制御部２３は、これら受信した信号を基に、弁制御部２２の制御を行う。この動作については後述する。
【００３４】
図６は、断線監視システムの第３の実施例を示した配線図である。この例でも、第１及び第２の実施例と同様に、第１のワイヤ１２と第２のワイヤ１３の一方の端部を終端抵抗２０で接続し、他方の端部をそれぞれ断線検出部２１ｃに接続している。また、第２の実施例と同様に、レバーリミットスイッチ３２及びノズルリミットスイッチ３３を設けており、さらに補助開閉弁３１を設けている。
【００３５】
この実施例では、ノズルリミットスイッチ３３を第１のワイヤ１２及び第２のワイヤ１３に接続し、終端抵抗２０とは並列となるように配線されている。これによって、ノズルリミットスイッチ３３の配線の多くを各ワイヤ１２、１３と共用することができて、構成を簡易にすることができる。
【００３６】
次に、ワイヤ１２、１３の断線が検出された場合の信号（以下ワイヤ断線信号という）と、各リミットスイッチ３２、３３からの信号（以下放水用レバー１０からの信号をレバー操作信号、ノズルリミットスイッチ３３からの信号をノズル取出信号という）の有無を検出した中央制御部２３が、消火栓の状態をどのように認識し、それによってどのような動作を行うかについて説明する。ここでは、上述した断線監視システムのうち、図５に示した第２実施例に基づいて説明する。
【００３７】
図７には、各信号とそれによって認識される放水状態の対応表を示す。ノズル取出信号とレバー操作信号、及びワイヤ断線信号のいずれもない場合（状態１）は、消火栓の操作がされておらず、かつワイヤ１２、１３も断線していないから、通常の監視状態である。ノズル取出信号のみがある場合（状態２）は、筐体１から放水ノズル３０を取出したことが検出されているから、放水準備状態または放水ノズル３０が所定の位置から脱落したことが認識される。
【００３８】
ノズル取出信号及びレバー操作信号があって、ワイヤ断線信号がない場合（状態３）は、放水ノズル３０及び放水用レバー１０が操作されて、しかもワイヤ１２、１３は断線していないから正常に開閉弁１５が開いていることになる。すなわち、放水中であることが認識される。レバー操作信号のみがある場合（状態４）は、ワイヤ１２、１３は断線しておらず、放水用レバー１０が操作されて開閉弁１５が開放状態となっているにもかかわらず、放水ノズル３０が取出されていないのであるから、ホース引出し不能であると認識される。
【００３９】
ワイヤ断線信号のみがある場合（状態５）は、消火栓の操作はされていないものの、ワイヤ１２、１３の断線が検出された場合であって、すなわちワイヤ１２、１３が劣化し断線していることが認識される。ワイヤ断線信号とノズル取出信号がある場合（状態６）は、放水ノズル３０が取出されているにもかかわらず、ワイヤ１２、１３が断線しており、放水用レバー１０を操作しても開閉弁１５が開かないので、放水ができない状態であることが認識される。
【００４０】
ワイヤ断線信号とノズル取出信号及びレバー操作信号のいずれもある場合（状態７）は、消火栓において放水のための操作がなされたにもかかわらず、ワイヤ１２、１３が断線しているために開閉弁１５が開かず、放水ができない状態であることが認識される。ノズル取出信号のみがない場合は（状態８）は、ワイヤ１２、１３が断線しており、放水用レバー１０は操作されたものの、放水ができない状態であることが認識される。なお、状態７、８の場合は、補助開閉弁３１を制御することで強制的に放水可能とすることができる。
【００４１】
図８には、消火栓の操作に伴う動作についてのフローチャートを示す。このフローチャートは、中央制御部２３の処理内容を示したものである。まず、レバーリミットスイッチ３２を監視することで、放水用レバー１０の操作がなされたか否かを判定する（Ｓ１）。Ｓ１の状態は、図７における状態１に相当する。放水用レバー１０の操作がなされていれば、ポンプ（図示しない）を起動させ、放水のための準備を開始する（Ｓ２）。
【００４２】
次に、各ワイヤ１２、１３が断線しているか否かについて判定する（Ｓ３）。ここで、断線検出部２１ｃからワイヤ断線信号を受信していなければ、開閉弁１５を開放し（Ｓ４）、放水を行う（Ｓ５）。Ｓ４の状態は、図７における状態３に相当する。
【００４３】
Ｓ１において、放水用レバー１０の操作がなされていなかった場合、中央制御部２３は、ワイヤ１２、１３の断線の有無を判定する（Ｓ６）。断線の有無の判定については、常時行わなくても、適宜行うようにすればよく、例えば定期点検時に行うようにしてもよい。
【００４４】
ここで、断線検出部２１ｃからワイヤ断線信号を受信した場合には、断線警報を出力し（Ｓ７）、断線が発生していることを防災盤等の外部に通報する。または、消火栓に表示装置を設け、この表示装置に断線している旨を表示するようにしてもよい。ワイヤ断線信号を受信しない場合には、放水用レバー１０の監視に戻る。Ｓ７の状態は、図７における状態５に相当する。
【００４５】
また、Ｓ３においてワイヤ１２、１３が断線していることが検出された場合にも、中央制御部２３は断線警報を出力する（Ｓ８）。この場合の中央制御部２３の動作は、Ｓ７と同様である。次に、ノズルリミットスイッチ３３を監視することで、放水ノズル３０が取出されたか否かについて判定する（Ｓ９）。放水ノズル３０が取出されていれば、外部に対して放水ノズル３０が使用中であることを示す信号を出力し（Ｓ１０）、補助開閉弁３１に対して開放信号を送信する（Ｓ１１）。これによって放水がなされる（Ｓ５）。Ｓ１１の状態は、図７における状態７に相当する。
【００４６】
Ｓ９において放水ノズル３０が取出されていなかった場合、中央制御部２３は外部に対して放水異常警報を出力し（Ｓ１２）、それを受けて実際に現地での確認がなされる（Ｓ１３）。Ｓ１２の状態は、図７における状態８に相当する。
【００４７】
消火栓の動作について、配管図を用いてさらに説明する。図９は通常時における配管説明図、図１０は放水用レバー１０操作時における配管説明図、そして図１１はワイヤ１２、１３の断線時における配管説明図である。これら各図に示すように、給水接続口４１または給水弁４２から水供給管５が配設され、その下流部には開閉弁１５が設けられる。開閉弁１５の下流部には放水用ホース１７とその先端部である放水ノズル３０が設けられる。また、開閉弁１５と放水用ホース１７の間には補助開閉弁３１が設けられ、水供給管５の中間位置から放水用ホース１７までの間をバイパスする。
【００４８】
開閉弁１５は三方弁であって、水供給管５側と放水用ホース１７側及び排水管側のうちいずれか２つを連通させる。図９の状態では、放水用ホース１７側と排水管側を連通させており、水供給管５側から供給される水を放水用ホース１７側に通さない状態、すなわち閉状態とされている。
【００４９】
また、補助開閉弁３１も開閉弁１５と同様に三方弁であって、水供給管５側と放水用ホース１７側及び開閉弁１５側のうちいずれか２つを連通させる。図９の状態では、放水用ホース１７側と開閉弁１５側を連通させている。
【００５０】
放水用レバー１０は、ワイヤ１２、１３を介して開閉弁１５に接続され、ワイヤ１２、１３は断線検出部２１に接続される。また、放水用レバー１０の操作を検出するレバーリミットスイッチ３２は、断線検出部２１を介して中央制御部２３に接続される。さらに、放水ノズル３０の設置状態を検出するノズルリミットスイッチ３３も、断線検出部２１を介して中央制御部２３に接続される。
【００５１】
火災が発生すると、使用者は消火栓扉２を開放し、放水ノズル３０を取出してさらに放水用ホース１７を引き出す。すると、図１０に示すようにノズルリミットスイッチ３３は、放水ノズル３０が取出されたことを検出してＯＮになり、中央制御部２３はこのことを検出する。
【００５２】
次に使用者は、放水用レバー１０を操作する。放水用レバー１０を操作すると、ワイヤ１２、１３によって開閉弁１５が動作し、図１０に示すように水供給管５側と放水用ホース１７側を連通させた状態、すなわち開状態とする。また、放水用レバー１０を操作すると、レバーリミットスイッチ３２がＯＮになり、中央制御部２３はこのことを検出する。
【００５３】
ワイヤ１２、１３に断線が発生していた場合については以下の通りである。ワイヤ１２、１３には図１１に示すように断線個所Ａが生じているものとする。この場合、放水用レバー１０を操作しても、開閉弁１５は動作せず、閉状態のままとなっている。断線検出部２１によってワイヤ１２、１３の断線を検出した中央制御部２３は、弁制御部２２に対し開放信号を送信する。開放信号を受信した弁制御部２２は、電動弁である補助開閉弁３１を動作させ、図１１に示すように水供給管５側と放水用ホース１７側を連通させた状態とする。補助開閉弁３１は、開閉弁１５をバイパスするように設けられているので、これによって水供給管５から放水用ホース１７に水が供給され、放水ノズル３０から放水が行われる。
【００５４】
これまで本発明の実施形態について説明したが、本発明の適用はこの実施形態には限られず、その技術的思想の範囲内において様々に適用されうるものである。例えば、上記実施形態では２本のワイヤ１２、１３により開閉弁１５を動作させているが、１本のワイヤにより開閉弁１５を動作させるように構成してもよい。この場合、ワイヤの動作板１６側端部は断線検出部２１に接続し、操作板１１側端部は終端抵抗２０に接続すると共に、終端抵抗２０の一端部を断線検出部２１に接続する。これにより、断線検出部２１はワイヤに対して終端抵抗２０を介して電流を流すことができ、断線検出を行うことができる。
【００５５】
また、本実施形態ではレバーリミットスイッチ３２及びノズルリミットスイッチ３３を設けて、放水用レバー１０及び放水ノズル３０の操作について検出しているが、これをレバーリミットスイッチ３２のみでノズルリミットスイッチ３３を設けなくても、中央制御部２３は消火栓の放水または断線状態を認識することができる。
【図面の簡単な説明】
【００５６】
【図１】本実施形態における消火栓の正面図である。
【図２】図１の消火栓の消火栓扉を開いた状態における筐体内部を示した平面図である。
【図３】消火栓内部に納められる放水用レバーと開閉弁間の連係図である。
【図４】断線監視システムの第１の実施例を示した配線図である。
【図５】断線監視システムの第２の実施例を示した配線図である。
【図６】断線監視システムの第３の実施例を示した配線図である。
【図７】断線監視システムの第２の実施例における各機器からの信号と放水状態の対応表である。
【図８】断線監視システムの第２の実施例におけるフローチャートである。
【図９】本実施形態の消火栓の通常時における配管説明図である。
【図１０】本実施形態の消火栓の放水用レバー操作時における配管説明図である。
【図１１】本実施形態の消火栓のワイヤ断線時における配管説明図である。
【符号の説明】
【００５７】
１    筐体
２    消火栓扉
１０    放水用レバー
１１    操作板
１２    第１のワイヤ
１３    第２のワイヤ
１５    開閉弁
１６    動作板
２０    終端抵抗
２１    断線検出部
２２    弁制御部
２３    中央制御部
３０    放水ノズル
３１    補助開閉弁
３２    レバーリミットスイッチ
３３    ノズルリミットスイッチ
【図１】
2006006376.tif 000003
【図２】
2006006376.tif 000004
【図３】
2006006376.tif 000005
【図４】
2006006376.tif 000006
【図５】
2006006376.tif 000007
【図６】
2006006376.tif 000008
【図７】
2006006376.tif 000009
【図８】
2006006376.tif 000010
【図９】
2006006376.tif 000011
【図１０】
2006006376.tif 000012
【図１１】
2006006376.tif 000013